(57)【要約】【課題】超広帯域映像信号に属する特定４ｋ×２ｋ信号についてのシリアル伝送を、実用に供することができる形で効率良く実現することができるものとする。【解決手段】特定４ｋ×２ｋ信号を８チャンネルのHD-SDI信号に変換し、それらに基づく８チャンネルのワード列データＤｄ１〜Ｄｄ８を得る手段１１，１２と、ワード列データＤｄ１〜Ｄｄ８から、そのラインブランキング部における補助データ及び映像データ部における映像データを６４ビットを単位として取り出して、ワード列データＤｏを形成する手段２０，２１と、ワード列データＤｏに６４Ｂ／６６Ｂエンコーディング変換処理を施してワード列データＤｐを得る手段２２と、ワード列データＤｐに基づくデータレートを１０Ｇb/s 以上とするビット列データＤＴＧを形成する手段２３〜２５と、ビット列データを伝送すべく送出する手段２６とを備える。【選択図】  図１
2006013829.tif 000002
【特許請求の範囲】
【請求項１】
フレームレートを３０Ｈｚとし、各フレームにおける有効ライン数が２０００ライン以上で２２００ライン以下に設定されるとともに、各ラインにおける有効データワード数が３４００ワード以上で４１００ワード以下に設定され、ワードビット数を１２ビットとして、緑色原色信号データ系列，青色原色信号データ系列及び赤色原色信号データ系列の並列配置構成をとるワード列データを成すパラレルディジタル映像信号を、各々が規格に定められたビットレートを有したビット列データを成す８チャンネルの第１のシリアルディジタル映像信号に変換する複数チャンネルシリアルディジタル映像信号形成部と、
該複数チャンネルシリアルディジタル映像信号形成部から得られる８チャンネルの第１のシリアルディジタル映像信号に夫々基づく、各々が規格に定められたライン期間分データ構造を有したパラレルディジタル映像信号を成す８チャンネルの第１のワード列データを得るパラレルデータ形成部と、
該パラレルデータ形成部から得られる８チャンネルの第１のワード列データが供給され、該８チャンネルの第１のワード列データから、ラインブランキング部データ及び映像データを６４ビットを単位として取り出し、第２のワード列データを形成するワード列データ形成部と、
該ワード列データ形成部から得られる第２のワード列データに、該第２のワード列データの６４ビットごとに、スクランブル処理を施すとともに２ビットを付加して６６ビットのデータを得る変換処理を施して、第３のワード列データを形成する６４ビット／６６ビットエンコーディング変換部と、
該６４ビット／６６ビットエンコーディング部から得られる第３のワード列データから所定ビット数ずつを取り出して、各々が所定のビットレートを有した複数チャンネルのビット列データを形成する多チャンネルデータ形成部と、
該多チャンネルデータ形成部から得られる複数チャンネルのビット列データを多重するとともにパラレル／シリアル変換処理を施して、データレートを１０Ｇb/s 以上とするビット列データを、第２のシリアルディジタル映像信号として形成するデータ多重・パラレル／シリアル変換部と、
該データ多重・パラレル／シリアル変換部から得られるデータレートを１０Ｇb/s 以上とするビット列データを伝送すべく送出するデータ送出部と、
を備えて構成されるデータ送信装置。
【請求項２】
上記ワード列データ形成部が、上記パラレルデータ形成部から得られる８チャンネルの第１のワード列データを多重して多重ワード列データを形成するデータ多重部と、該データ多重部から得られる多重ワード列データが、第１の周波数を有した書込クロック信号をもって書き込まれるとともに、書き込まれた多重ワード列データから、上記ラインブランキング部における補助データ及び上記映像データ部における映像データが、上記第１の周波数とは異なる第２の周波数を有した読出クロック信号をもって６４ビットを単位として読み出され、上記第２のワード列データを形成するものとして上記６４ビット／６６ビットエンコーディング変換部へと送られる第１のメモリ部と、を含んで構成されることを特徴とする請求項２記載のデータ送信装置。
【請求項３】
上記６４ビット／６６ビットエンコーディング変換部から得られる第３のワード列データが、第３の周波数を有した書込クロック信号をもって書き込まれるとともに、上記第３の周波数とは異なる第４の周波数を有した読出クロック信号をもって読み出されて上記多チャンネルデータ形成部へと送られる第２のメモリ部が備えられることを特徴とする請求項１記載のデータ送信装置。
【請求項４】
上記データ送出部が、上記データ多重・パラレル／シリアル変換部から得られるデータレートを１０Ｇb/s 以上とするビット列データを、光信号に変換して、光信号伝送ケーブルへと送出することを特徴とする請求項１記載のデータ送信装置。
【請求項５】
ビットレートを１０Ｇb/s 以上とするビット列データを第１のシリアルディジタル映像信号として受けるデータ受取部と、
該データ受取部から得られるビットレートを１０Ｇb/s 以上とするビット列データにシリアル／パラレル変換を施すとともに、各々が所定のビットレートを有した複数チャンネルのビット列データを形成するシリアル／パラレル変換・多チャンネルデータ形成部と、
該シリアル／パラレル変換・多チャンネルデータ形成部から得られる複数チャンネルのビット列データを多重して、多重ワード列データを形成するデータ多重部と、
該データ多重部から得られる多重ワード列データに、該多重ワード列データの６６ビットごとに、２ビットの付加ビットを除去するとともにデスクランブル処理を施して６４ビットのデータを復元する変換処理を施して第１のワード列データを形成する６４ビット／６６ビットデコーディング変換部と、
該６４ビット／６６ビットデコーディング変換部から得られる第１のワード列データに基づき、各々が規格に定められたライン期間分データ構造を有したパラレルディジタル映像信号を成す８チャンネルの第２のワード列データを得る複数チャンネルワード列データ形成部と、
該複数チャンネルワード列データ形成部から得られる８チャンネの第２のワード列データが供給され、該８チャンネの第２のワード列データに基づく、各々が規格に定められたビットレートを有したビット列データを成す８チャンネルの第２のシリアルディジタル映像信号を得るシリアルデータ形成部と、
該シリアルデータ形成部から得られる各々が規格に定められたビットレートを有したビット列データを成す８チャンネルの第２のシリアルディジタル映像信号が供給され、該８チャンネルの第２のシリアルディジタル映像信号を、フレームレートを３０Ｈｚとし、各フレームにおける有効ライン数が２０００ライン以上で２２００ライン以下に設定されるとともに、各ラインにおける有効データワード数が３４００ワード以上で４１００ワード以下に設定され、ワードビット数を１２ビットとして、緑色原色信号データ，青色原色信号データ及び赤色原色信号データ系列の並列配置構成をとるワード列データを成すパラレルディジタル映像信号に変換して送出する特定パラレルディジタル映像信号形成部と、
を備えて構成されるデータ受信装置。
【請求項６】
上記データ受取部が、光信号伝送ケーブルを通じて受け取った光信号を、ビットレートを１０Ｇb/s 以上とするビット列データに変換して、第１のシリアルディジタル映像信号を得ることを特徴とする請求項５記載のデータ受信装置。
【請求項７】
上記データ多重部から得られる多重ワード列データが、第１の周波数を有した書込クロック信号をもって書き込まれるとともに、上記第１の周波数とは異なる第２の周波数を有した読出クロック信号をもって１３２ビットを単位として読み出され、上記６４ビット／６６ビットデコーディング変換部へと送られる第１のメモリ部が備えられることを特徴とする請求項５記載のデータ受信装置。
【請求項８】
上記複数チャンネルワード列データ形成部が、上記６４ビット／６６ビットデコーディング変換部から得られる第１のワード列データが、第３の周波数を有した書込クロック信号をもって書き込まれるとともに、上記第３の周波数とは異なる第４の周波数を有した読出クロック信号をもって、所定のライン期間分データ構造を有したパラレルディジタル映像信号を成す第３のワード列データとして読み出される第２のメモリ部と、該第２のメモリ部から得られる上記第３のワード列データから上記８チャンネルの第２のワード列データを分離して取り出すデータ分離部と、を含んで構成されることを特徴とする請求項５記載のデータ受信装置。
【発明の詳細な説明】
【技術分野】
【０００１】
本願の特許請求の範囲に記載された発明は、ワードビット数（量子化ビット数）を１２ビットとするワード列データを形成するものとなる、フレームレートを３０Ｈｚあるいは３０／１．００１Ｈｚ（本願においてはこれらのいずれをも３０Ｈｚという。）とした、所謂、Ｇ，Ｂ，Ｒ形式の４ｋ×２ｋ信号と称されるパラレルディジタル映像信号についての伝送を行うに際して用いられる、ビット列データを送信するデータ送信装置、及び、そのデータ送信装置により送信されたビット列データを受信して、元のパラレルディジタル映像信号を再生するデータ受信装置に関する。
【背景技術】
【０００２】
映像信号の分野においては、伝達情報の多様化及び再生画像の高品質化を実現する観点等からのディジタル化が積極的に図られており、例えば、映像信号情報をあらわすディジタルデータにより形成されるディジタル映像信号を扱う高精細度テレビジョン(High Definition Television:ＨＤＴＶ）システム等が提案されている。ＨＤＴＶシステムのもとにおけるディジタル映像信号（以下、ＨＤ信号という）は、規格化されたデータフォーマットに従う所定のワードビット数を有したワード列データ（パラレルディジタル映像信号）として形成され、Ｙ，ＣB ／ＣR 形式のものとＧ，Ｂ，Ｒ形式のものとがある。Ｙ，ＣB ／ＣR 形式のパラレルディジタル映像信号の場合、Ｙは輝度信号を意味し、ＣB ／ＣR は色差信号を意味していて、輝度信号データ系列（Ｙデータ系列）及び色差信号データ系列（ＣB ／ＣR データ系列）の並列配置構成をとる。また、Ｇ，Ｂ，Ｒ形式のパラレルディジタル映像信号の場合、Ｇ，Ｂ及びＲは夫々緑色原色信号，青色原色信号及び赤色原色信号を意味していて、緑色原色信号データ系列（Ｇデータ系列），青色原色信号データ系列（Ｂデータ系列）及び赤色原色信号データ系列（Ｒデータ系列）の並列配置構成をとる。
【０００３】
このようなＨＤ信号が、同軸ケーブルあるいはオプティカル・ファイバーによって形成される光信号伝送ケーブル等で構成される信号伝送路を通じて伝送されるに際しては、信号伝送路の構造が簡略される等の利点が得られることからして、ＨＤ信号がワード列データからビット列データ（シリアルディジタル映像信号）に変換されて伝送されるシリアル伝送が望まれることになる。そして、ＨＤ信号のシリアル伝送については、米国のＳＭＰＴＥ (Society of Motion Picture and Television Engineers：動画及びテレビジョン技術者協会）による規格化がなされており、通常、ＨＤ信号のシリアル伝送は、ＳＭＰＴＥによって制定された規格である SMPTE 292M による HD SDI (High Definition Serial Digital Interface)に準拠して行われる（非特許文献１参照。）。
【０００４】
HD SDI に準拠したデータ伝送にあっては、同軸ケーブル，光信号伝送ケーブル等で形成される信号伝送路を通じて伝送されるビット列データであるシリアルディジタル映像信号が、そのデータレート（ビットレート）を１．４８５Ｇb/s もしくは１．４８５／１．００１Ｇb/s （本願においては、これらのビットレートのいずれをも１．４８５Ｇb/s という。）とするものとされることが、規格として定められている。即ち、 HD SDI に準拠したデータ伝送に供されるシリアルディジタル映像信号（以下、HD-SDI信号という。）の伝送にあたっては、HD-SDI信号は、ビットレートを１．４８５Ｇb/s とするものとされるのである。
【０００５】
HD-SDI信号の元となるＨＤ信号は、所定のデータフォーマット（以下、ソースフォーマットという。）を有したものに限定される。このような限定されたＨＤ信号が有するソースフォーマットは、例えば、フレームレート：２４Ｈｚもしくは２４／１．００１Ｈｚ（本願においては、これらのいずれをも２４Ｈｚという。），２５Ｈｚあるいは３０Ｈｚ，各フレームにおける有効ライン数：１０８０ライン，各ラインにおける有効ワード数：１９２０ワード，ワードビット数：１０ビット，データ形式：Ｙ，ＣB ／ＣR 形式等々のパラメータによって規定されるものとされる。
【０００６】
こうした状況のなかで、ディジタル映像信号について、それに基づいて再生される画像の解像度の一層の向上，画質改善の更なる追求等を目的として、そのデータフォーマットを規定するパラメータについて、フレームレートを６０Ｈｚもしくは６０／１．００１Ｈｚ（本願においては、これらのいずれをも６０Ｈｚという。）あるいは９０Ｈｚもしくは９０／１．００１Ｈｚ（本願においては、これらのいずれをも９０Ｈｚという。）とすること，各フレームにおける有効ライン数及び各ラインにおける有効ワード数を、上述の限定されたＨＤ信号の場合のように１０８０ライン及び１９２０ワードに限るのではなく、それらより大、例えば、１０８０ライン及び１９２０ワードの２倍程度とすること，ワードビット数を１０ビットを越えるビット数、例えば、１２ビット，１４ビット等とすること、さらには、これらのもとでデータ形式をＧ，Ｂ，Ｒ形式とすること等々が提案されている。このような提案に従ったディジタル映像信号の例として、そのデータフォーマットが、例えば、フレームレート：３０Ｈｚ，各フレームにおける有効ライン数：２０００ライン以上で２２００ライン以下（例えば、２０４８ライン，２０７５ライン，２１６０ライン等），各ラインにおける有効ワード数：３４００ワード以上で４１００ワード以下（例えば、３４００ワード，３６４０ワード，３８４０ワード，４０９６ワード等），ワードビット数：１２ビット，データ形式：Ｇ，Ｂ，Ｒ形式、即ち、Ｇデータ系列，Ｂデータ系列及びＲデータ系列の並列配置構成等々のパラメータによって規定される３０Ｐ／１２ビット／Ｇ，Ｂ，Ｒ形式の４ｋ×２ｋ信号（以下、特定４ｋ×２ｋ信号という。）と称されるものがある。
【０００７】
このような特定４ｋ×２ｋ信号は、所謂、超広帯域映像信号に属するものであるが、その伝送にあたっては、前述のＨＤ信号の場合と同様に、ワード列データを成すパラレルディジタル映像信号からビット列データを成すシリアルディジタル映像信号に変換されて伝送されるシリアル伝送が望まれることになる。
【非特許文献１】SMPTE STANDARD  SMPTE 292M-1998, for Television −Bit-Serial Digital Interface for High-Definition Television Systems
【発明の開示】
【発明が解決しようとする課題】
【０００８】
上述のように超広帯域映像信号に属する特定４ｋ×２ｋ信号は、それに望まれるシリアル伝送を、従来の伝送技術手法に従って試みようとすると、HD-SDI信号についてのシリアル伝送の場合に比して、極めて広い周波数帯域に亙る信号処理が要求されることになってしまう。それゆえ、従来にあっては、特定４ｋ×２ｋ信号を成すディジタルデータについての実用に供することができるシリアル伝送を、例えば、ディジタル映像信号を成すディジタルデータについての HD SDI に従ったシリアル伝送に用いられる既存の回路構成要素を利用して行うことができる、実際のシリアル伝送システムの具体例は見当たらない。また、このようなシリアル伝送システムに関する技術について記載された文献等も見出せない。
【０００９】
斯かる点に鑑み、本願の特許請求の範囲に記載された発明は、超広帯域映像信号に属する特定４ｋ×２ｋ信号を成すディジタルデータについてのシリアル伝送を、実用に供することができる形で効率良く実現することができるデータ送信装置及びデータ受信装置を提供する。
【課題を解決するための手段】
【００１０】
本願の特許請求の範囲における請求項１から請求項４までのいずれかに記載された発明に係るデータ送信装置は、特定４ｋ×２ｋ信号、即ち、３０Ｐ／１２ビット／Ｇ，Ｂ，Ｒ形式の４ｋ×２ｋ信号（フレームレートを３０Ｈｚとし、各フレームにおける有効ライン数が２０００ライン以上で２２００ライン以下に設定されるとともに、各ラインにおける有効データワード数が３４００ワード以上で４１００ワード以下に設定され、ワードビット数を１２ビットとして、Ｇデータ系列、Ｂデータ系列及びＲデータ系列の並列配置構成をとるワード列データを成すパラレルディジタル映像信号）を、各々が規格に定められたビットレートを有したビット列データを成す８チャンネルの第１のシリアルディジタル映像信号に変換する複数チャンネルシリアルディジタル映像信号形成部と、複数チャンネルシリアルディジタル映像信号形成部から得られる８チャンネルの第１のシリアルディジタル映像信号に夫々基づく、各々が規格に定められたライン期間分データ構造を有したパラレルディジタル映像信号を成す８チャンネルの第１のワード列データを得るパラレルデータ形成部と、パラレルデータ形成部から得られる８チャンネルの第１のワード列データが供給され、それらから、ラインブランキング部における補助データ及び映像データ部における映像データを６４ビットを単位として取り出して、第２のワード列データを形成するワード列データ形成部と、ワード列データ形成部から得られる第２のワード列データに、その６４ビットごとに、スクランブル処理を施すとともに２ビットを付加して６６ビットのデータを得る変換処理を施して、第３のワード列データを形成する６４ビット／６６ビット（６４Ｂ／６６Ｂ）エンコーディング変換部と、６４Ｂ／６６Ｂエンコーディング変換部から得られる第３のワード列データから所定ビット数ずつを取り出して、各々が所定のビットレートを有した複数チャンネルのビット列データを形成する多チャンネルデータ形成部と、多チャンネルデータ形成部から得られる複数チャンネルのビット列データを多重するとともにパラレル／シリアル（Ｐ／Ｓ）変換処理を施して、データレートを１０Ｇb/s 以上とするビット列データを、第２のシリアルディジタル映像信号として形成するデータ多重・Ｐ／Ｓ変換部と、データ多重・Ｐ／Ｓ変換部から得られるデータレートを１０Ｇb/s 以上とするビット列データを伝送すべく送出するデータ送出部と、を備えて構成される。
【００１１】
また、本願の特許請求の範囲における請求項５から請求項８までのいずれかに記載された発明に係るデータ受信装置は、ビットレートを１０Ｇb/s 以上とするビット列データを第１のシリアルディジタル映像信号として受けるデータ受取部と、データ受取部から得られるビットレートを１０Ｇb/s 以上とするビット列データにシリアル／パラレル（Ｓ／Ｐ）変換を施すとともに、各々が所定のビットレートを有した複数チャンネルのビット列データを形成するＳ／Ｐ変換・多チャンネルデータ形成部と、Ｓ／Ｐ変換・多チャンネルデータ形成部から得られる複数チャンネルのビット列データを多重して、多重ワード列データを形成するデータ多重部と、データ多重部から得られる多重ワード列データに、その６６ビットごとに、２ビットの付加ビットを除去するとともにデスクランブル処理を施して６４ビットのデータを復元する変換処理を施して、第１のワード列データを形成する６４Ｂ／６６Ｂデコーディング変換部と、６４Ｂ／６６Ｂデコーディング変換部から得られる第１のワード列データに基づき、各々が規格に定められたライン期間分データ構造を有したパラレルディジタル映像信号を成す８チャンネルの第２のワード列データを得る複数チャンネルワード列データ形成部と、複数チャンネルワード列データ形成部から得られる８チャンネの第２のワード列データが供給され、それらに基づく、各々が規格に定められたビットレートを有したビット列データを成す８チャンネルの第２のシリアルディジタル映像信号を得るシリアルデータ形成部と、シリアルデータ形成部から得られる各々が規格に定められたビットレートを有したビット列データを成す８チャンネルの第２のシリアルディジタル映像信号が供給され、それらを、特定４ｋ×２ｋ信号、即ち、３０Ｐ／１２ビット／Ｇ，Ｂ，Ｒ形式の４ｋ×２ｋ信号に変換して送出する特定パラレルディジタル映像信号形成部と、を備えて構成される。
【００１２】
上述のような本願の特許請求の範囲における請求項１から請求項４までのいずれかに記載された発明に係るデータ送信装置にあっては、特定４ｋ×２ｋ信号が、複数チャンネルシリアルディジタル映像信号形成部によって、例えば、８チャンネルのHD-SDI信号とされる、各々が規格に定められたビットレート、例えば、１．４８５Ｇｂ／ｓを有したビット列データを成す８チャンネルの第１のシリアルディジタル映像信号に変換され、それらが複数のパラレルデータ形成部に供給される。複数のパラレルデータ形成部においては、８チャンネルの第１のシリアルディジタル映像信号が、各々が規格に定められたライン期間分データ構造を有したパラレルディジタル映像信号を成す８チャンネルの第１のワード列データに変換される。次に、８チャンネルの第１のワード列データから、ラインブランキング部における補助データ及び映像データ部における映像データが６４ビットを単位として取り出されて、第２のワード列データが形成される。続いて、第２のワード列データに、その６４ビットごとに、スクランブル処理を施すとともに２ビットを付加して６６ビットのデータを形成する変換処理が施され、第３のワード列データが形成される。そして、第３のワード列データから所定ビット数ずつが取り出されて、各々が所定のビットレート、例えば、６６８．２５Ｍｂ／ｓを有した複数チャンネル、例えば、１６チャンネルのビット列データが形成され、さらに、これらの複数チャンネルのビット列データが多重されるとともにＰ／Ｓ変換されて、ビットレートを１０Ｇb/s 以上、例えば、１０．６９２Ｇb/s とするビット列データが、第２のシリアルディジタル映像信号として形成される。そして、このビットレートを１０Ｇb/s 以上、例えば、１０．６９２Ｇb/s とするビット列データが、伝送されるべく送出される。
【００１３】
また、本願の特許請求の範囲における請求項５から請求項８までのいずれかに記載された発明に係るデータ受信装置にあっては、ビットレートを１０Ｇb/s 以上、例えば、１０．６９２Ｇｂ／ｓとするビット列データが第１のシリアルディジタル映像信号として受けられ、その、ビットレートを１０Ｇb/s 以上とするビット列データにＳ／Ｐ変換が施されて、各々が所定のビットレート、例えば、６６８．２５Ｍｂ／ｓのビットレートを有した複数チャンネル、例えば、１６チャンネルのビット列データが形成され、その後、１６チャンネルのビット列データが多重されて、多重ワード列データが形成される。次に、多重ワード列データに、その６６ビットごとに、２ビットの付加ビットを除去するとともにデスクランブル処理を施して６４ビットのデータを復元する変換処理が施されて、第１のワード列データが形成される。続いて、第１のワード列データに基づき、各々が規格に定められたライン期間分データ構造を有したパラレルディジタル映像信号を成す８チャンネルの第２のワード列データが得られ、これらの８チャンネルの第２のワード列データの夫々にシリアルデータ形成部によるＰ／Ｓ変換が施されて、８チャンネルのHD-SDI信号とされる、各々が規格に定められたビットレート、例えば、１．４８５Ｇｂ／ｓのビットレートを有するものとされたビット列データを成す８チャンネルの第２のシリアルディジタル映像信号が得られる。そして、シリアルデータ形成部から得られる８チャンネルの第２のシリアルディジタル映像信号が、特定パラレルディジタル映像形成部によって、特定４ｋ×２ｋ信号に変換されて、導出される。
【発明の効果】
【００１４】
上述の本願の特許請求の範囲における請求項１から請求項４までのいずれかに記載された発明に係るデータ送信装置によれば、超広帯域映像信号に属する特定４ｋ×２ｋ信号、即ち、３０Ｐ／１２ビット／Ｇ，Ｂ，Ｒ形式の４ｋ×２ｋ信号を、例えば、８チャンネルのHD-SDI信号とされる、各々が規格に定められたビットレートを有したビット列データを成す８チャンネルの第１のシリアルディジタル映像信号に変換し、それらからラインブランキング部における補助データ及び映像データ部における映像データを取り出して、６４Ｂ／６６Ｂエンコーディング変換処理を施した後、ビットレートを１０Ｇb/s 以上、例えば、１０．６９２Ｇb/s とするビット列データを成す第２のシリアルディジタル映像信号に変換し、それを伝送すべく送出することができる。従って、特定４ｋ×２ｋ信号についてのシリアル伝送を、実用に供することができる形で効率良く実現できることになる。
【００１５】
さらに、本願の特許請求の範囲における請求項５から請求項８までのいずれかに記載された発明に係るデータ受信装置によれば、ビットレートを１０Ｇb/s 以上、例えば、１０．６９２Ｇｂ／ｓとするビット列データを第１のシリアルディジタル映像信号として受け取り、そのビットレートを１０Ｇb/s 以上とするビット列データが特定４ｋ×２ｋ信号、即ち、３０Ｐ／１２ビット／Ｇ，Ｂ，Ｒ形式の４ｋ×２ｋ信号に基づいて形成されたものである場合には、受け取ったビットレートを１０Ｇb/s 以上とするビット列データから、所定のワードビット数を有した第１のワード列データ，８チャンネルの第２のワード列データ及び８チャンネルの第２のシリアルデータが得られる状態を経て、特定４ｋ×２ｋ信号を再生することができる。従って、超広帯域映像信号に属する特定４ｋ×２ｋ信号のシリアル伝送にあたり、その受信側装置を構成できることになる。
【発明を実施するための最良の形態】
【００１６】
本願の特許請求の範囲に記載された発明を実施するための最良の形態は、以下に述べられる実施例をもって説明される。
【実施例１】
【００１７】
図１は、本願の特許請求の範囲における請求項１から請求項４までのいずれかに記載された発明に係るデータ送信装置の一例（実施例１）を示す。
【００１８】
図１に示される例、即ち、実施例１にあっては、特定４ｋ×２ｋ信号、即ち、３０Ｐ／１２ビット／Ｇ，Ｂ，Ｒ形式の４ｋ×２ｋ信号（フレームレートを３０Ｈｚとし、各フレームにおける有効ライン数が２０００ライン以上で２２００ライン以下に設定されるとともに、各ラインにおける有効データワード数が３４００ワード以上で４１００ワード以下に設定され、ワードビット数を１２ビットとして、Ｇデータ系列、Ｂデータ系列及びＲデータ系列の並列配置構成をとるワード列データを成すパラレルディジタル映像信号）ＤＳＶが、複数チャンネルシリアルディジタル映像信号形成部１１に供給される。
【００１９】
図２は、複数チャンネルシリアルディジタル映像信号形成部１１に供給される特定４ｋ×２ｋ信号ＤＳＶの一例のデータフォーマットを示す。
【００２０】
図２に示されるデータフォーマットを有する特定４ｋ×２ｋ信号ＤＳＶの一例にあっては、互いに同期して並列配置されるＧデータ系列，Ｂデータ系列及びＲデータ系列について、フレーム期間分が１／３０秒毎に連なるものとして設定されているとともに、その各フレーム期間分がライン期間分Ｌ０００１からライン期間分Ｌｎ3 までのｎ3 ライン期間分の連なりをもって形成されている。また、各フレーム期間分における有効ライン部がライン期間分Ｌｎ1+1 からライン期間分Ｌｎ2 までとされ、各フレーム期間分における有効ライン部におけるライン数、即ち、有効ライン数が２ｋ＝ｎ2 −ｎ1 ラインに設定されている。２ｋは、２０００以上で２２００以下の数値、例えば、２１６０とされる。さらに、各ライン期間分における映像データ部を構成する有効データワード数が４ｋワードに設定されている。４ｋは、３４００以上で４１００以下の数値、例えば、４０９６とされる。そして、ワードビット数は１２ビットに選定されている。
【００２１】
斯かるもとで、各フレーム期間分におけるライン期間分Ｌ0001からライン期間分Ｌｎ3 までの夫々は、ワードビット数を１２ビットとするＧデータ系列のライン期間分と、ワードビット数を１２ビットとするＢデータ系列のライン期間分と、ワードビット数を１２ビットするＲデータ系列のライン期間分とを含むことになるが、特に、有効ライン部を形成するライン期間分Ｌｎ1+１からライン期間分Ｌｎ2 までの夫々については、それらのうちの一つであるライン期間分Ｌｎ1+１における状態が図２に例示されている如くに、それを形成するワードビット数を１２ビットとするＧデータ系列のライン期間分，ワードビット数を１２ビットとするＢデータ系列のライン期間分及びワードビット数を１２ビットとするＲデータ系列のライン期間分の夫々が、ラインブランキング部と映像データ部とを含むものとして形成されている。
【００２２】
そして、各ラインブランキング部が、その始端部分にタイミング基準コード：ＥＡＶが配されるとともに、その終端部分にタイミング基準コード：ＳＡＶが配され、ＥＡＶとＳＡＶとの間に補助データが配されるものとして構成されている。一方、映像データ部については、Ｇデータ系列における映像データ部が、有効ワード数である４ｋワードの緑色原色信号情報をあらわすＧデータＧＤが配されて構成され、Ｂデータ系列における映像データ部が、有効ワード数である４ｋワードの青色原色信号情報をあらわすＢデータＢＤが配されて構成され、さらに、Ｒデータ系列における映像データ部が、有効ワード数である４ｋワードの赤色原色信号情報をあらわすＲデータＲＤが配されて構成されている。
【００２３】
複数チャンネルシリアルディジタル映像信号形成部１１においては、それに供給される特定４ｋ×２ｋ信号ＤＳＶが、必要に応じてビット不足を補う補足ビットが付加されるもとで、各々が規格化された１．４８５Ｇｂ／ｓとされるビットレートを有したビット列データを成す８チャンネルのシリアルディジタル映像信号であるHD-SDI信号ＤＨＳ１〜ＤＨＳ８に変換される。斯かる際には、例えば、ＳＭＰＴＥによって制定された規格である SMPTE STANDARD  SMPTE 372M, for Television − Dual Link 292M Interface for 1920×1080 Picture Raster に準拠した Link A 及び Link B とされるワード列データ（ Link A 及び Link B の各々はワードビット数を２０ビットとするワード列データ）を形成する手法が用いられる。そして、特定４ｋ×２ｋ信号ＤＳＶに基づいて、各チャンネルが Link A と Link B との組で構成される４チャンネルのデータが形成され、これらの合計８チャンネルの Link A 及び Link B の夫々がビット列データに変換されて、８チャンネルのるHD-SDI信号ＤＨＳ１〜ＤＨＳ８が形成される。
【００２４】
このようにして、複数チャンネルシリアルディジタル映像信号形成部１１から得られる８チャンネルのHD-SDI信号ＤＨＳ１〜ＤＨＳ８が、パラレルデータ形成部１２に供給される。パラレルデータ形成部１２は、図３に示されるように、HD-SDI信号ＤＨＳ１に対するデータ処理部ＰＤ１，HD-SDI信号ＤＨＳ２に対するデータ処理部ＰＤ２，・・・・・，HD-SDI信号ＤＨＳ８に対するデータ処理部ＰＤ８を内蔵している。
【００２５】
データ処理部ＰＤ１においては、それに供給されるHD-SDI信号ＤＨＳ１が、Ｓ／Ｐ変換部１３においてＳ／Ｐ変換を施され、例えば、図４に示されるような、ライン期間分データ構造を有したパラレルディジタル映像信号を成すワード列データＤｈ１に変換される。図４に示されるライン期間分データ構造は、ワードビット数を２０ビットとしたラインブランキング部と映像データ部とを含んだものとされている。ラインブランキング部は、その始端部分に４ワードから成るタイミング基準コード：ＥＡＶが配されるとともに、その終端部分に４ワードから成るタイミング基準コード：ＳＡＶが配され、ＥＡＶとＳＡＶとの間に補助データが配されて構成されており、ワード数は１５２ワードとされている。また、映像データ部には、映像データである、緑色原色信号情報をあらわすＧデータ，青色原色信号情報をあらわすＢデータ、及び、赤色原色信号情報をあらわすＲデータが配されて構成されており、ワード数は２０４８ワードとされている。従って、１ライン期間分の総ワード数は２２００ワードである。また、ワードレートは、７４．２５ＭB/s もしくは７４．２５／１．００１ＭB/s （本願においては、これらのいずれをも７４．２５ＭB/s という。）とされる。
【００２６】
Ｓ／Ｐ変換部１３から得られるワードレートを７４．２５ＭB/s とし、ワードビット数を２０ビットとするワード列データＤｈ１は、ビット・ワード同期設定部１４に供給される。ビット・ワード同期設定部１４においては、ワード列データＤｈ１に含まれるタイミング基準コードデータＳＡＶ及びＥＡＶの検出が行われ、それらの検出結果に基づいてビット同期及びワード同期が確立される。
【００２７】
ビット・ワード同期設定部１４を経たワード列データＤｈ１は、ＦＩＦＯメモリ部１５に、周波数を７４．２５ＭＨｚとする書込クロック信号ＱＷ１をもって２０ビットずつ書き込まれる。そして、ＦＩＦＯメモリ部１５に書き込まれたワード列データＤｈ１は、周波数を７４．２５ＭＨｚとする読出クロック信号ＱＲ１をもって２０ビットずつ読み出され、ワード列データＤｄ１として、データ処理部ＰＤ１から導出される。
【００２８】
また、データ処理部ＰＤ２においては、それに供給されるHD-SDI信号ＤＨＳ２が、Ｓ／Ｐ変換部１６においてＳ／Ｐ変換が施され、例えば、前述の図４に示されるようなライン期間分データ構造を有したパラレルディジタル映像信号を成すワード列データＤｈ２に変換される。Ｓ／Ｐ変換部１６から得られるワード列データＤｈ２は、ビット・ワード同期設定部１７に供給される。ビット・ワード同期設定部１７においては、ワード列データＤｈ２に含まれるタイミング基準コードデータＳＡＶ及びＥＡＶの検出が行われ、それらの検出結果に基づいてビット同期及びワード同期が確立される。
【００２９】
ビット・ワード同期設定部１７を経たワード列データＤｈ２は、ＦＩＦＯメモリ部１８に、周波数を７４．２５ＭＨｚとする書込クロック信号ＱＷ１をもって２０ビットずつ書き込まれる。そして、ＦＩＦＯメモリ部１８に書き込まれたワード列データＤｈ２は、周波数を７４．２５ＭＨｚとする読出クロック信号ＱＲ１をもって２０ビットずつ読み出され、ワード列データＤｄ２として、データ処理部ＰＤ２から導出される。
【００３０】
データ処理部ＰＤ３〜ＰＤ８の夫々もデータ処理部ＰＤ２と同様であり、データ処理部ＰＤ３〜ＰＤ８においては、それらに夫々供給されるHD-SDI信号ＤＨＳ３〜ＤＨＳ８に対しての、データ処理部ＰＤ２におけるそれに供給されるHD-SDI信号ＤＨＳ２に対して行われる処理と同様な処理が行われ、データ処理部ＰＤ３〜ＰＤ８から、ワード列データＤｄ３〜Ｄｄ８が導出される。
【００３１】
パラレルデータ形成部１２に内蔵されたデータ処理部ＰＤ１〜ＰＤ８から夫々導出されるワード列データＤｄ１〜Ｄｄ８は、パラレルデータ形成部１２から、各々が規格に定められたライン期間分データ構造を有したパラレルディジタル映像信号を成す８チャンネルのワード列データとして送出される。このようにしてパラレルデータ形成部１２から送出される８チャンネルのワード列データＤｄ１〜Ｄｄ８は、前述のように複数チャンネルシリアルディジタル映像信号形成部１１において形成される、各チャンネルが Link A と Link B との組で構成される４チャンネルのデータに相当するものとされる。
【００３２】
このようにして、パラレルデータ形成部１２は、複数チャンネルシリアルディジタル映像信号形成部１１から得られる８チャンネルのHD-SDI信号ＤＨＳ１〜ＤＨＳ８に夫々基づく、各々が規格に定められたライン期間分データ構造を有したパラレルディジタル映像信号を成す８チャンネルのワード列データＤｄ１〜Ｄｄ８を得る。
【００３３】
そして、パラレルデータ形成部１２から得られる８チャンネルのワード列データＤｄ１〜Ｄｄ８は、データ多重部２０に供給される。データ多重部２０においては、ワード列データＤｄ１〜Ｄｄ８を、各々の間における同期をとったもとで、ワード多重の手法をもって多重することによって多重ワード列データＤｍを形成する。
【００３４】
データ多重部２０から得られる多重ワード列データＤｍは、メモリ部２１に、周波数を７４．２５ＭＨｚとする書込クロック信号ＱＷ２をもって、２０ビット×８＝１６０ビットずつ書き込まれる。そして、メモリ部２１に書き込まれた多重ワード列データＤｍは、その各ライン期間分ごとに、それを構成するラインブランキング部における、前述の４チャンネルの Link A に相当する部分中の補助データ（２０ビット×４チャンネル＝８０ビット）と、映像データ部における、４チャンネルの Link A と Link B との組に相当する部分中の映像データ（１２ビット×３（G,B,R)×４チャンネル＝１４４ビット）とが、周波数を１６２ＭＨｚとする読出クロック信号ＱＲ２をもって、６４ビットを単位としてメモリ部２１から読み出される。メモリ部２１から読み出される補助データ及び映像データは、さらに、必要な付加データの付加が行われて、読み出された補助データが配される新たなラインブランキング部，読み出された映像データが配される新たな映像データ部、及び、付加データが配される付加データ部が順次連なって成る新たなライン期間分データ構造を有したワード列データＤｏを形成するものとして、６４Ｂ／６６Ｂエンコーディング変換部２２に供給される。
【００３５】
このようなもとで、データ多重部２０とメモリ部２１とは、パラレルデータ形成部１２から得られる８チャンネルのワード列データＤｄ１〜Ｄｄ８が供給され、それらの８チャンネルのワード列データＤｄ１〜Ｄｄ８から、ラインブランキング部における補助データ及び映像データ部における映像データを６４ビットを単位として取り出し、ワード列データＤｏを形成するワード列データ形成部を形成している。
【００３６】
６４Ｂ／６６Ｂエンコーディング変換部２２においては、ワード列データＤｏに対して、その６４ビットごとに、スクランブル処理を施すとともに２ビットを付加して６６ビットのデータを得る変換処理を施し、それによりワード列データＤｐを形成する。斯かる際に６４ビットのデータに付加される２ビットは、その６４ビットのデータに対するヘッダービットとされ、例えば、６４ビットのデータが信号情報をあらわすものである場合に「０，１」とされ、また、６４ビットのデータが制御データを含むものである場合に「１，０」とされる。
【００３７】
このようなワード列データＤｐは、例えば、図５に示されるライン期間分データ構造を有したものとされる。図５に示されるライン期間分データ構造にあっては、１ライン期間分が、３１６８００ビットをもって形成され、順次連なるラインブランキング部，映像データ部及び付加データ部を含むものとされる。ラインブランキング部は、１２５４０ビットをもって形成されて、その始端部分にタイミング基準コード：ＥＡＶが配されるとともに、その終端部分にタイミング基準コード：ＳＡＶが配される。映像データ部は、３０４１２８ビットをもって形成され、さらに、付加データ部は１３２ビットをもって形成される。
【００３８】
６４Ｂ／６６Ｂエンコーディング変換部２２から得られるワード列データＤｐは、メモリ部２３に、周波数を１６２ＭＨｚとする書込クロック信号ＱＷ３をもって６６ビットずつ書き込まれる。そして、メモリ部２３に書き込まれたワード列データＤｐは、メモリ部２３から、周波数を１６７．０６２５ＭＨｚとする読出クロック信号ＱＲ３をもって、６４ビットずつ読み出され、ワード列データＤｑとして、多チャンネルデータ形成部２４に供給される。
【００３９】
多チャンネルデータ形成部２４にあっては、１／１６７．０６２５ＭＨｚの周期をもって６４ビットずつ供給されるワード列データＤｑに基づき、各々がビットレートを６６８．２５Ｍb/s とする複数チャンネル、例えば、１６チャンネルのビット列データＤＳＸを形成する。それにより多チャンネルデータ形成部２４から得られる１６チャンネルのビット列データＤＳＸは、データ多重・Ｐ／Ｓ変換部２５に供給される。
【００４０】
データ多重・Ｐ／Ｓ変換部２５にあっては、１６チャンネルのビット列データＤＳＸを多重するとともに、それにより得られるパラレルデータにＰ／Ｓ変換を施して、ビットレートを１０Ｇb/s 以上、例えば、６６８．２５Ｍb/s ×１６＝１０．６９２Ｇb/s とするビット列データＤＴＧを形成する。このようにしてデータ多重・Ｐ／Ｓ変換部２５から得られるビット列データＤＴＧは、複数チャンネルシリアルディジタル映像信号形成部１１に供給された特定４ｋ×２ｋ信号に基づいて形成され、パラレルデータ形成部１２に供給された８チャンネルのHD-SDI信号ＤＨＳ１〜ＤＨＳ８に応じて得られたものであるので、ビットレートを１０Ｇb/s 以上、例えば、１０．６９２Ｇb/s とするビット列データを形成するシリアルディジタル映像信号であることになる。
【００４１】
そして、データ多重・Ｐ／Ｓ変換部２５から得られるビット列データＤＴＧは、データ送出部を形成する電光変換部２６に供給される。電光変換部２６は、ビット列データＤＴＧを光信号ＤＬに変換し、その光信号ＤＬを、オプティカル・ファイバー等によって形成される光信号伝送ケーブル２７を通じて伝送すべく送出する。
【００４２】
上述のようにして、図１に示される本願の特許請求の範囲における請求項１から請求項４までのいずれかに記載された発明に係るデータ送信装置の一例である実施例１にあっては、特定４ｋ×２ｋ信号ＤＳＶを、８チャンネルのHD-SDI信号ＤＨＳ１〜ＤＨＳ８に変換した後、さらに、８チャンネルのワード列データＤｄ１〜Ｄｄ８に変換し、それらからラインブランキング部における補助データ及び映像データ部における映像データを取り出して、６４Ｂ／６６Ｂエンコーディング変換処理を施した後、ビットレートを１０Ｇb/s 以上、例えば、１０．６９２Ｇb/s とするビット列データＤＴＧに変換し、それを伝送すべく送出することができる。従って、特定４ｋ×２ｋ信号についてのシリアル伝送を、実用に供することができる形で効率良く実現できることになる。
【実施例２】
【００４３】
図６は、本願の特許請求の範囲における請求項５から請求項８までのいずれかに記載された発明に係るデータ受信装置の一例（実施例２）を示す。
【００４４】
図６に示される例、即ち、実施例２にあっては、オプティカル・ファイバー等によって形成される光信号伝送ケーブル３１を通じて到来する光信号ＤＬが、データ受取部を形成する光電変換部３２によって受けられる。光信号ＤＬは、図１に示される実施例１により伝送されるべく送出される、ビットレートを、１０Ｇb/s 以上、例えば、１０．６９２Ｇb/s とするビット列データＤＴＧが変換されて得られる光信号ＤＬに相当するものとされる。
【００４５】
光電変換部３２は、光信号ＤＬを、ビットレートを、１０Ｇb/s 以上、例えば、１０．６９２Ｇb/s とするビット列データＤＴＧに変換し、そのビット列データＤＴＧをＳ／Ｐ変換・多チャンネルデータ形成部３３に供給する。Ｓ／Ｐ変換・多チャンネルデータ形成部３３にあっては、ビット列データＤＴＧにＳ／Ｐ変換を施すとともに、それにより得られるパラレルデータに基づく、各々がビットレートを、例えば、６６８．２５Ｍb/s とするものとされる複数チャンネル、例えば、１６チャンネルのビット列データＤＳＸを形成する。それにより、Ｓ／Ｐ変換・多チャンネルデータ形成部３３から得られる１６チャンネルのビット列データＤＳＸは、データ多重部３４に供給される。
【００４６】
データ多重部３４にあっては、１６チャンネルのビット列データＤＳＸを多重して、多重ワード列データとされるワード列データＤｒを形成する。それにより、データ多重部３４から得られるワード列データＤｒは、その１２８ビットずつが、メモリ部３５に、周波数を８３．５３１２５ＭＨｚ（１６７．０６２５／２ＭＨｚ）とする書込クロック信号ＱＷ４をもって書き込まれる。そして、メモリ部３５に書き込まれたワード列データＤｒは、メモリ部３５から、周波数を８１ＭＨｚとする読出クロック信号ＱＲ４をもって１３２ビットずつ読み出され、ワード列データＤｓとして６４Ｂ／６６Ｂデコーディング変換部３６に供給される。このようにして６４Ｂ／６６Ｂデコーディング変換部３６に供給されるワード列データＤｓは、例えば、図５に示されるようなライン期間分データ構造をとるものとされる。
【００４７】
６４Ｂ／６６Ｂデコーディング変換部３６においては、ワード列データＤｓに含まれる、例えば、「０，１」もしくは「１，０」とされた２ビットを検知して、当該２ビットをヘッダービットとする６６ビットのデータを検出する。そして、ワード列データＤｓに対して、検出される６６ビットごとに、ヘッダービットの２ビットを除去するとともに、残りの６４ビットのデータについてのデスクランブル処理を施して、元の６４ビットのデータを復元する変換処理を施し、ワード列データＤｔを形成する。
【００４８】
６４Ｂ／６６Ｂデコーディング変換部３６から得られるワード列データＤｔは、その６４ビットずつが、メモリ部３７に、周波数を１６２ＭＨｚとする書込クロック信号ＱＷ５をもって書き込まれる。そして、メモリ部３７に書き込まれたワード列データＤｔは、その各ライン期間分ごとに、それを構成するラインブランキング部における補助データと映像データ部における映像データとが、周波数を７４．２５ＭＨｚとする読出クロック信号ＱＲ５をもってメモリ部３７から読み出される。メモリ部３７から読み出される補助データ及び映像データは、さらに、必要な付加データの付加が行われて、読み出された補助データが配される新たなラインブランキング部及び読み出された映像データが配される新たな映像データ部が順次連なって成る新たなライン期間分データ構造を有したワード列データＤｕを形成するものとして、１６０ビットずつデータ分離部３８に供給される。
【００４９】
データ分離部３８においては、ワード列データＤｕにワード分離処理が施されて、ワード列データＤｕから８チャンネルのワード列データＤｄ１〜Ｄｄ８が分離されて取り出される。これらのデータ分離部３８において分離される８チャンネルのワード列データＤｄ１〜Ｄｄ８は、それらの夫々が、ワードビット数を２０ビットとし、ワードレートを７４．２５ＭＢ／ｓとする、例えば、図４に示されるような規格に定められたライン期間分データ構造を有したパラレルディジタル映像信号を成すものとされて、シリアルデータ形成部３９に供給される。
【００５０】
このようなもとで、メモリ３７とデータ分離部３８とは、６４Ｂ／６６Ｂデコーディング変換部３６から得られるワード列データＤｔに基づき、各々が規格に定められたライン期間分データ構造を有したパラレルディジタル映像信号を成す８チャンネルのワード列データＤｄ１〜Ｄｄ８を得る複数チャンネルワード列データ形成部を形成している。
【００５１】
シリアルデータ形成部３９は、図７に示されるように、ワード列データＤｄ１に対するデータ処理部ＰＲ１，ワード列データＤｄ２に対するデータ処理部ＰＲ２，・・・・・，ワード列データＤｄ８に対するデータ処理部ＰＲ８を内蔵している。
【００５２】
データ処理部ＰＲ１においては、それに供給されるワード列データＤｄ１が、ＦＩＦＯメモリ部４０に、２０ビットずつ、周波数を７４．２５ＭＨｚとする書込クロック信号ＱＷ６をもって書き込まれる。続いて、ＦＩＦＯメモリ部４０に書き込まれたワード列データＤｄ１は、ＦＩＦＯメモリ部４０から、周波数を７４．２５ＭＨｚとする読出クロック信号ＱＲ６をもって２０ビットずつ読み出されて、ワードビット数を２０ビットとするパラレルディジタル映像信号を成すワード列データＤｈ１が形成され、そのワード列データＤｈ１がＰ／Ｓ変換部４１に供給される。このワード列データＤｈ１は、ワード列データＤｄ１と実質的に同じであって、例えば、図４に示されるようなライン期間分データ構造を有したものとされる。
【００５３】
Ｐ／Ｓ変換部４１においては、ワード列データＤｈ１にＰ／Ｓ変換が施されて、ワード列データＤｈ１に基づく、ビットレートを規格化された１．４８５Ｇb/s とするシリアルディジタル映像信号であるHD-SDI信号ＤＨＳ１が形成される。そして、このＰ／Ｓ変換部４１において形成されるHD-SDI信号ＤＨＳ１が、データ処理部ＰＲ１から導出される。
【００５４】
また、データ処理部ＰＲ２においては、それに供給されるワード列データＤｄ２が、ＦＩＦＯメモリ部４２に、２０ビットずつ、周波数を７４．２５ＭＨｚとする書込クロック信号ＱＷ６をもって書き込まれる。続いて、ＦＩＦＯメモリ部４２に書き込まれたワード列データＤｄ２は、ＦＩＦＯメモリ部４２から、周波数を７４．２５ＭＨｚとする読出クロック信号ＱＲ６をもって２０ビットずつ読み出されて、２０ビットワード構成のパラレルディジタル映像信号を成すワード列データＤｈ２が形成され、そのワード列データＤｈ２がＰ／Ｓ変換部４３に供給される。このワード列データＤｈ２も、ワード列データＤｄ１と実質的に同じであって、例えば、図４に示されるようなライン期間分データ構造を有したものとされる。
【００５５】
Ｐ／Ｓ変換部４３においては、ワード列データＤｈ２にＰ／Ｓ変換が施されて、ワード列データＤｈ２に基づく、ビットレートを規格化された１．４８５Ｇb/s とするシリアルディジタル映像信号であるHD-SDI信号ＤＨＳ２が形成される。そして、このＰ／Ｓ変換部４３において形成されるHD-SDI信号ＤＨＳ２が、データ処理部ＰＲ２から導出される。
【００５６】
データ処理部ＰＲ３〜ＰＲ８の夫々もデータ処理部ＰＲ２と同様であり、データ処理部ＰＲ３〜ＰＲ８においては、それらに夫々供給されるワード列データＤｄ３〜Ｄｄ８に対しての、データ処理部ＰＲ２におけるそれに供給されるワード列データＤｄ２に対して行われる処理と同様な処理が行われ、データ処理部ＰＲ３〜ＰＲ８から、各々がビットレートを規格化された１．４８５Ｇb/s とするシリアルディジタル映像信号であるHD-SDI信号ＤＨＳ３〜ＤＨＳ８が導出される。
【００５７】
そして、データ処理部ＰＲ１〜ＰＲ８の夫々から導出される８チャンネルのHD-SDI信号ＤＨＳ１〜ＤＨＳ８が、シリアルデータ形成部３９から、再生されたHD-SDI信号として、特定パラレルディジタル映像信号形成部５０へと送出される。このようにして、シリアルデータ形成部３９は、メモリ３７とデータ分離部３８とが形成する複数チャンネルワード列データ形成部から得られる８チャンネルのワード列データＤｄ１〜Ｄｄ８が供給され、それらに基づく、各々が規格に定められたビットレートを有したビット列データを成す８チャンネルのシリアルディジタル映像信号を得る。
【００５８】
特定パラレルディジタル映像信号形成部５０においては、８チャンネルのHD-SDI信号ＤＨＳ１〜ＤＨＳ８に対し、図１に示される複数チャンネルシリアルディジタル映像信号形成部１１において、特定４ｋ×２ｋ信号ＤＳＶに、それに基づく８チャンネルのHD-SDI信号ＤＨＳ１〜ＤＨＳ８を得るべ施される変換処理とは逆の変換処理が施されて、８チャンネルのHD-SDI信号ＤＨＳ１〜ＤＨＳ８が特定４ｋ×２ｋ信号ＤＳＶに変換される。それにより、特定パラレルディジタル映像信号形成部５０からは、ビットレートを１０Ｇb/s 以上、例えば、１０．６９２Ｇｂ／ｓとするビット列データＤＴＧに基づいて再生された特定４ｋ×２ｋ信号ＤＳＶが送出される。
【００５９】
このような、図６に示される本願の特許請求の範囲における請求項５から請求項８までのいずれかに記載された発明に係るデータ受信装置の一例である実施例２にあっては、ビットレートを１０Ｇb/s 以上、例えば、１０．６９２Ｇｂ／ｓとするビット列データＤＴＧを受け取り、そのビットレートを１０Ｇb/s 以上とするビット列データＤＴＧが特定４ｋ×２ｋ信号、即ち、３０Ｐ／１２ビット／Ｇ，Ｂ，Ｒ形式の４ｋ×２ｋ信号に基づいて形成されたものである場合には、受け取ったビットレートを１０Ｇb/s 以上とするビット列データＤＴＧから、ワード列データＤｕが形成され、さらに、８チャンネルのワード列データＤｄ１〜Ｄｄ８及び８チャンネルのHD-SDI信号ＤＨＳ１〜ＤＨＳ８が得られる状態を経て、特定４ｋ×２ｋ信号を再生することができる。従って、超広帯域映像信号に属する特定４ｋ×２ｋ信号のシリアル伝送にあたり、その受信側装置を構成できることになる。
【産業上の利用可能性】
【００６０】
上述のような本願の特許請求の範囲における請求項１から請求項４までのいずれかに記載された発明に係るデータ送信装置、及び、本願の特許請求の範囲における請求項５から請求項８までのいずれかに記載された発明に係るデータ受信装置は、超広帯域映像信号に属する特定４ｋ×２ｋ信号、即ち、３０Ｐ／１２ビット／Ｇ，Ｂ，Ｒ形式の４ｋ×２ｋ信号のシリアル伝送を実現できるデータ伝送システムを構築できるものとして、ディジタル映像信号を扱う分野において広範に適用され得るものである。
【図面の簡単な説明】
【００６１】
【図１】本願の特許請求の範囲における請求項１から請求項４までのいずれかに記載された発明に係るデータ送信装置の一例を示すブロック構成図である。
【図２】図１に示される例によるシリアル伝送が行われる特定４ｋ×２ｋ信号の一例のデータフォーマットを示す概念図である。
【図３】図１に示される例におけるパラレルデータ形成部の具体構成例を示すブロック構成図である。
【図４】図１に示される例の動作説明に供されるデータフォーマットを示す概念図である。
【図５】図１に示される例の動作説明に供されるデータフォーマットを示す概念図である。
【図６】本願の特許請求の範囲における請求項５から請求項８までのいずれかに記載された発明に係るデータ受信装置の一例を示すブロック構成図である。
【図７】図６に示される例におけるシリアルデータ形成部の具体構成例を示すブロック構成図である。
【符号の説明】
【００６２】
１１・・・複数チャンネルシリアルディジタル映像信号形成部，  １２・・・パラレルデータ形成部，  １３，１６・・・Ｓ／Ｐ変換部，  １４，１７・・・ビット・ワード同期設定部，  １５，１８，４０，４２・・・ＦＩＦＯメモリ部，  ２０，３４・・・データ多重部，  ２１，２３，３５，３７・・・メモリ部，  ２２・・・６４Ｂ／６６Ｂエンコーディング変換部，  ２４・・・多チャンネルデータ形成部，  ２５・・・データ多重・Ｐ／Ｓ変換部，  ２６・・・電光変換部，  ２７，３１・・・光信号伝送ケーブル，  ３２・・・光電変換部，  ３３・・・Ｓ／Ｐ変換・多チャンネルデータ形成部，  ３６・・・６４Ｂ／６６Ｂデコーディング変換部，  ３８・・・データ分離部，  ３９・・・シリアルデータ形成部，  ４１，４３・・・Ｐ／Ｓ変換部，  ５０・・・特定パラレルディジタル映像信号形成部
【図１】
2006013829.tif 000003
【図２】
2006013829.tif 000004
【図３】
2006013829.tif 000005
【図４】
2006013829.tif 000006
【図５】
2006013829.tif 000007
【図６】
2006013829.tif 000008
【図７】
2006013829.tif 000009